(57)【要約】【課題】測位衛星からの信号を受信して走行車体の位置情報が表示される構成を有し、この構成が乗降ステップでの移動に支障を来すことのない水田作業機を構成する。【解決手段】走行車体Ａの前部のボンネット５の両側方に乗降ステップ１６が形成され、ボンネット５の後部にステアリングホイール１１を備え、この後方に運転座席３を配置し、測位衛星からの電波信号を受信して位置情報の出力が可能に構成されるコンソールＤを、ボンネット５の幅内において、そのモニタ部がステアリングホイール１１より高い位置となるように配置した。【選択図】図３
2019054815.tif 000002
【特許請求の範囲】
【請求項１】
測位衛星からの電波信号を受信し、位置情報を取得する測位システムと、
前記位置情報に基づいて自動操舵による自動走行が可能な走行機体と、
前記走行機体に設けられた運転座席と、
前記運転座席の前方に設けられ、前記自動走行に関する情報が表示される表示装置とを備え、
前記表示装置が、当該表示装置の上端ほど前方に変位する傾斜姿勢で備えられている水田作業機。
【請求項２】
前記運転座席の前方に設けられたステアリングポストの下方にメータパネルが設けられ、前記メータパネルとは別に前記表示装置が設けられている請求項１に記載の水田作業機。
【請求項３】
前記自動走行に関する情報は、前記表示装置と前記メータパネルのうちの前記表示装置のみに表示される請求項２に記載の水田作業機。
【請求項４】
前記自動走行に関する情報は、少なくとも、前記走行機体が自動操舵状態にあることを示す表示および前記走行機体の走行方向のズレを示す表示を含む１〜３のいずれか１項に記載の水田作業機。
【請求項５】
走行機体に連結される支持フレームが備えられ、前記支持フレームに前記表示装置が支持される請求項１〜４のいずれか１項に記載の水田作業機。
【請求項６】
前記測位システムを支持する測位システム支持フレームを備え、
前記測位システム支持フレームが左右の縦フレーム部と左右の縦フレーム部の上端同士を連結する連結フレーム部とを有し、
走行機体の前後方向視で、前記支持フレーム及び前記表示装置が、左右の縦フレーム部及び連結フレーム部で囲われる空間の内側に位置する請求項５に記載の水田作業機。
【発明の詳細な説明】
【技術分野】
【０００１】
本発明は、測位衛星からの電波信号を受信することにより走行車体の位置情報を取得するように構成された水田作業機に関する。
【背景技術】
【０００２】
上記のように構成された水田作業機として特許文献１には、ＧＰＳ装置により計測される位置情報に基づいて自律走行する技術が示されている。
【０００３】
特許文献１では、走行車体に備えたＧＰＳアンテナでＧＰＳ衛星（測位衛星）からの電波信号を受信する状態でティーチングを行うことにより基準線を設定し、この基準線に平行となる目標経路を設定する。この設定の後には、ＧＰＳ衛星（測位衛星）からの電波信号を受信する状態で目標経路上に自律走行させる形態で田植作業を行えるように構成されている。
【０００４】
特許文献２には、走行車体の位置を認識するためのＧＰＳ受信機を備えており、走行車体の運転キャビンの正面の右側にタッチパネル式の液晶ディスプレイで成るモニタを備えた技術が示されている。
【０００５】
この特許文献２では、ＧＰＳ衛星からの電波をＧＰＳ受信機で受信することで走行車体の位置を認識し、モニタに対してナビゲーション情報やボタン類を表示するように構成されている。
【先行技術文献】
【特許文献】
【０００６】
【特許文献１】特開２００８‐９２８１８号公報
【特許文献２】特開２００２‐１８６３０９号公報
【発明の概要】
【発明が解決しようとする課題】
【０００７】
測位衛星からの電波を受信することにより走行車体の位置情報を取得する水田作業機では作業時に走行車体の位置をモニタで確認することや、作業に必要な情報をモニタで確認する必要がある。
【０００８】
走行車体として、運転部の前部にボンネットを配置し、当該ボンネットの両側方に乗降通路となる乗降ステップを形成した構成において、特許文献２に示されるように走行車体のセンターから外れた位置にモニタが配置されたものでは、作業者が乗降ステップで移動する場合にモニタ等が移動の支障になることも考えられ改善の余地がある。
【０００９】
本発明の目的は、測位衛星からの信号を受信して走行車体の位置情報が表示される構成を有し、この構成が乗降ステップでの移動に支障を来すことのない水田作業機を得る点にある。
【課題を解決するための手段】
【００１０】
本発明の特徴は、走行車体が、運転部の前部にボンネットを配置し、当該ボンネットの両側方に乗降通路となる乗降ステップが形成され、前記ボンネットの後部で運転座席より前方にステアリングホイールが配置されると共に、測位衛星からの電波信号を受信し、走行車体の位置情報を取得してコンソールのモニタ部に表示する測位システムを備え、前後方向視において前記ボンネットの幅内において、前記モニタ部が前記ステアリングホイールより高い位置に配置されるように前記コンソールが備えられた点にある。
【００１１】
この構成によると、運転座席に作業者が着座した状態で作業者の視線が向かう方向にコンソールが配置されるため、コンソールのモニタ部の表示内容を視認する場合に視線を大きく移動させなくて済む。また、走行車体と畦との間で乗降する場合のように、乗降ステップを作業者が移動する場合でも作業者の衣服等がコンソールに触れることがなく、乗降を容易に行える。
従って、測位衛星からの信号を受信して走行車体の位置情報が表示される構成を有し、この構成が乗降ステップでの移動に支障を来すことのない水田作業機が得られた。
【００１２】
本発明は、前記コンソールで前記運転座席に対向する面に前記モニタ部が形成され、当該モニタ部の上端より上側で、前記運転座席の方向に延出する庇部を備えても良い。
【００１３】
これによると、庇部により太陽光を遮ることが可能であるため、太陽光が直接射し込む環境で作業を行う場合でも、コンソールのモニタ部に表示される情報を正確に把握することが可能となる。
【００１４】
本発明は、前記コンソールで前記モニタ部が形成された面に操作パネル部を形成し、当該操作パネル部に対して操作スイッチ又は報知ランプが形成されても良い。
【００１５】
これによると、コンソールの操作パネル部の操作スイッチの操作により、タッチパネルと比較して確実な情報を入力することが可能となり、また、報知ランプの点灯により作業に必要な情報の取得も可能となる。
【図面の簡単な説明】
【００１６】
【図１】田植機の全体側面図である。
【図２】田植機の全体平面図である。
【図３】田植機の走行車体の正面図である。
【図４】田植機の走行車体前部の斜視図である。
【図５】ステアリング操作系の概略図である。
【図６】測位・自動操舵走行システムのブロック回路図である。
【図７】コンソールのモニタ部と操作パネル部とを示す図である。
【図８】別実施形態（ａ）のコンソールを示す斜視図である。
【発明を実施するための形態】
【００１７】
以下、本発明の実施形態を図面に基づいて説明する。
〔田植機の全体構成〕
図１〜図３に示すように、左右一対の前車輪１と左右一対の後車輪２とを有する走行車体Ａの中央部に運転座席３を備え、走行車体Ａの後端に油圧シリンダ４の伸縮作動により昇降作動するリンク機構Ｌを介して昇降自在に苗植付装置Ｂ（水田作業装置の一例）を備えて水田作業機としての乗用型の田植機が構成されている。
【００１８】
この田植機は、走行車体Ａの前部位置のボンネット５にエンジン６が収容され、走行車体Ａの中央位置にはエンジン６からの駆動力をミッションケース７で変速して左右の前車輪１と左右の後車輪２とに伝える走行伝動系を備えている。また、走行車体Ａには、ミッションケース７からの駆動力を伝動軸８により苗植付装置Ｂに伝える作業伝動系を備えている。ミッションケース７には伝動軸８に伝えられる駆動力を断続する植付クラッチＣを内装している。
【００１９】
運転座席３の右側部には苗植付装置Ｂの昇降と植付クラッチＣの断続とを行う昇降レバー１０が配置され、ボンネット５の後部で運転座席３の前方には前車輪１を操向操作するステアリングホイール１１が配置されている。このステアリングホイール１１の左側部には、走行速度を設定する主変速レバー１２が備えられ、このステアリングホイール１１の右側部には苗植付装置Ｂの強制的な昇降と、昇降に連係して植付クラッチＣの断続操作とを行う強制昇降レバー１３が備えられている。
【００２０】
苗植付装置Ｂは、水田作業装置の一例であり、リンク機構Ｌの後端に連結され伝動軸８の駆動力が伝えられる伝動ケースと２１と、複数の整地フロート２２と、マット状苗を載置する苗載台２３と、伝動ケース２１からの駆動力で作動するロータリ式の植付アーム２４とを備えて８条用に構成されている。
【００２１】
ボンネット５の先端位置に支柱状となるセンターマスコット１４が備えられている。また、苗植付装置Ｂの左右両側部には、作用姿勢と格納姿勢とに切換自在にマーカ装置が備えられている。マーカ装置は、苗植付装置Ｂに対して前後向き姿勢の揺動軸を中心に揺動自在に支持されたマーカアーム２６と、このマーカアーム２６の揺動端に回転自在に支持され、外周に複数の突起が形成されたマーカリング２７とで構成されている。
【００２２】
マーカアーム２６が図１に示す作用姿勢に設定されることによりマーカリング２７の外周が圃場面に接触し、走行車体Ａの走行に伴い回転することにより圃場面に対して次の走行の中心となる凹状のマークが連続的に形成される。これにより、マーカリング２７によって圃場面に凹状のマークを形成しておくことにより、走行車体Ａを旋回させて苗植付作業を継続する場合には、センターマスコット１４を、圃場面のマークに対して視覚的に照準する形態でステアリング操作を行うことにより、既植苗の列を基準にして最適となる位置に対する苗の植付が可能となる。
【００２３】
作業姿勢にあるマーカアーム２６は、苗植付装置Ｂの上昇に連動して格納姿勢に切換られ、この格納姿勢にロックされる。そして、昇降レバー１０を下降位置に操作した状態で左右方向へ操作することにより、対応する側のマーカアーム２６のロックが解除され、作用姿勢に切換られる。
【００２４】
この田植機では、苗植付け作業を行う場合には、昇降レバー１０の操作で整地フロート２２が接地するレベルまで苗植付装置Ｂを下降させ、植付クラッチＣを入り操作して走行車体Ａを走行させることになる。これにより、整地フロート２２が苗植付け箇所の泥面を整地する状態で、走行車体Ａから伝えられる駆動力で苗載台２３を左右方向に往復作動させ、この往復作動時に苗載台２３に載置されたマット状苗の下端から複数の植付アーム２４の植付爪が苗を所定量ずつ切り出して圃場に植え付ける作動が行われる。そして、必要な場合にはマーカ装置により圃場面に凹状マークを形成することになる。
【００２５】
特に、本発明の田植機では、苗植付け作業時における走行経路をＧＮＳＳ（Global Navigation Satellite Systems ）として構成される測位システムにより取得し、記憶しておき、記憶した経路に平行する目標走行経路として設定することが可能である。このように目標走行経路を設定した後には、目標走行経路に沿って走行車体Ａを自動操舵走行させることも可能に構成されている。
【００２６】
尚、この田植機では、目標走行経路が設定された状況においても自動操舵走行させずに作業者がステアリングホイール１１を操作する人為操舵走行で苗植付け作業を行えるようにも構成されている。このような理由から、マーカ装置を備えている。
【００２７】
〔車体構成〕
この田植機では、走行車体Ａの中央に運転座席３を有する運転部が形成され、この運転部の足元部位に運転部ステップ１５が形成され、この左右の外側位置に補助ステップ１５Ａが形成されている。走行車体Ａの前部のボンネット５の左右両側には運転部ステップ１５に段差なく連なる乗降通路としての乗降ステップ１６が形成されている。尚、乗降ステップ１６は、走行車体Ａの前端を畦に接近させ、畦と走行車体Ａとの間での作業者の移動を容易にする。
【００２８】
左右の後車輪２の上方を覆う位置に作業ステップ１７が形成されている。この作業ステップ１７は、後部フェンダーとしても機能するものであり、この作業ステップ１７の中央の前部に運転座席３が配置され、この運転座席３の後方位置となる作業ステップ１７の左右方向に延びる領域において、作業者が搭乗した状態で作業を可能にしている。
【００２９】
作業ステップ１７は、苗植付装置Ｂの苗載台２３に対するマット状苗の補給を容易にするものであり、この作業ステップ１７に搭乗する作業者を支えるように左右の支持フレーム体１８Ａの後端位置に手摺状となるの横フレーム体１８Ｂを連結した補助フレーム１８が作業ステップ１７に沿って形成されている。この補助フレーム１８は、作業者が握るだけではなく、作業者の体の一部を接触させることで作業者の姿勢を安定させることが可能に構成されている。
【００３０】
走行車体Ａの前部位置には、左右の乗降ステップ１６の外側において縦向き姿勢となる縦フレーム３１と、この縦フレーム３１の上端に連結する連結フレーム３２と、その上端が縦フレーム３１の中間部に連結し、左右の縦フレーム３１に平行する姿勢となる補助縦フレーム３３により門型となる支持フレーム部が備えられている。
【００３１】
縦フレーム３１にはパイプ材が用いられ、この縦フレーム３１を屈曲することにより縦フレーム３１の上端から車体内方に向けて延出する形態で連結フレーム３２が一体形成されている。そして、夫々の連結フレーム３２の延出端同士をブラケット４２で連結することにより、左右の連結フレーム３２が一体化している。尚、長尺のパイプ材を屈曲することにより左右の縦フレーム３１と、これらを結ぶ連結フレーム３２とを単一の部材で構成しても良い。
【００３２】
この支持フレーム部は、正面視において門型に形成されるものであり、左右の縦フレーム３１の下端を支持する前部支持フレーム３１Ａと、補助縦フレーム３３の下端を支持する後部フレーム３３Ａとによって車体フレームに支持されている。
【００３３】
この田植機では、縦フレーム３１と、これに連結する補助縦フレーム３３とに対して複数の予備苗載台３４が支持されている。
【００３４】
この構成により、左右に配置される複数の予備苗載台３４と、左右の縦フレーム３１と、補助縦フレーム３３とは、乗降ステップ１６の外方に配置されることになり、乗降ステップ１６での作業者の移動に支障がない。
【００３５】
〔メータパネル類〕
図４に示すように、ボンネット５の後端位置で、ステアリングホイール１１の前方にはメータパネル３６が配置されている。このメータパネル３６には、バックライトを有する液晶表示部と複数の表示ランプとを備えることにより作業情報を表示できるように構成されている。液晶表示部には、アワーメータ、自動植付クラッチの状態、燃料残量、冷却水の水温等が表示される。また、複数の表示ランプとして、オイル切れランプ、チャージランプ、苗切れランプ、植付表示ランプ、あぜぎわクラッチランプ、マーカランプ等が備えられている。
【００３６】
このメータパネル３６として、液晶表示装置のみを備え、この液晶表示装置に対して作業情報の全てを表示するように構成しても良い。また、ランプだけではなく指針が作動するインジケータを備えても良い。
【００３７】
ボンネット５の後部の左右両側部に下端が貫通して走行車体Ａに連結する逆Ｕ字状のコンソール支持フレーム３７が備えられ、これにコンソールＤが支持されている。コンソール支持フレーム３７は左右の側部フレーム体３７Ａと、これらの上端に連結する状態で形成される上部フレーム体３７Ｂとで構成され、上端側ほど前方に変位する傾斜姿勢で備えられている。
【００３８】
このコンソール支持フレーム３７の左右の側部フレーム体３７Ａに連結する連結プレート４０が備えられ、この連結プレート４０の上端部を運転座席３の方向に突出するように屈曲して庇部４１が一体形成されている。コンソールＤは箱状に形成されるものであり、連結プレート４０に支持されている。このような支持形態からコンソールＤの上方から運転座席３の方向に向けて庇部４１が突出する。ちなみに、コンソールＤの左右の両側部には日除けとして機能するものは備えられていないが、コンソールＤの左右の両側部に庇部４１を備えても良い。これにより、モニタ部３８に側方から射し込む太陽光を遮ることも可能となる。
【００３９】
コンソールＤは、前後方向視においてボンネット５の幅内で、ステアリングホイール１１の幅内に配置され、モニタ部３８の下端が、ステアリングホイール１１の上端より上方となるように配置される。また、コンソール支持フレーム３７が前述した傾斜姿勢で形成されているため、作業時には視線を前方から少し下げることによりコンソールＤのモニタ部３８を容易に視認して情報の把握が確実となり、コンソールＤがセンターマスコット１４の視認を妨げることもない。
【００４０】
図７に示すように、コンソールＤにおいて運転座席３と対向する面には液晶型で表示面にタッチパネル３８Ａを形成したモニタ部３８と、操作パネル部３９とが形成されている。操作パネル部３９には電源ボタンのＯＮ・ＯＦＦや各種の操作を可能にするため複数の操作スイッチ３９Ａが設けられている。尚、操作パネル部３９には操作スイッチ３９Ａの他に報知ランプを備えても良く、音声により情報を出力するスピーカを備えても良い。
【００４１】
コンソールＤのモニタ部３８は、同図に示す如く、測位衛星からの電波を受信し自動操舵走行であることを示すモード表示部１０２と、目標走行経路に対応する目標走行経路ライン１０３と、ステアリングホイール１１の操作が反映されるアイコン１０４と、速度表示部１０８とが形成されている。操作パネル部３９の複数の操作スイッチ３９Ａは自動操舵走行に必要な情報等の入力を可能に構成されている。尚、モニタ部３８の表示形態は後述する。
【００４２】
〔コンソールの配置の変形例〕
この実施形態では、コンソールＤをコンソール支持フレーム３７に対して固定する構成であったが、これに代えて、コンソールＤを横向き姿勢の軸芯を中心に揺動自在に支持し、揺動姿勢を保持するクランプ機構等を備えることで、このコンソールＤを角度調節自在に支持しても良い。このように角度調節自在に支持することにより、運転座席３に着座する作業者の体格等に対応してコンソールＤの角度を設定し、コンソールＤに形成されるモニタ部３８の表示の視認性を向上させることが可能となる。
【００４３】
また、変形例として、コンソールＤの上端位置を、苗植付装置Ｂの苗載台２３の上端より低い位置に配置する。このように配置することにより、予備苗載台３４に載置されているマット状苗を苗載台２３に補給する場合に、マット状苗がコンソールＤに触れる不都合を低減して、苗補給を円滑に行わせる。
【００４４】
〔測位・自動操舵走行システム〕
図３、図４に示すように、支持フレーム部の連結フレーム３２（受信ユニット支持部の一例）の左右方向での中央位置には、前述したブラケット４２の上面に対して樹脂やアルミニウム等の非磁性材料で構成される支持プレート４３が連結固定されている。この支持プレート４３の上面に対して非磁性材料として可撓性を有する合成ゴム製の支持部材４４を備え、これに乗せ付ける状態で受信ユニット４５が支持されている。
【００４５】
図６に示すように、受信ユニット４５は、複数の測位衛星からの電波信号を受信するアンテナ４５Ａと、地磁気から方位を検知する磁気コンパス４５Ｂ（方位センサの一例）と、走行車体Ａの姿勢変化を慣性により捉えるジャイロセンサ４５Ｃとが内蔵されている。
この構成では、受信ユニット４５が走行車体Ａの前部位置に配置されるため、走行車体Ａが走行方向を変更した場合には、走行車体Ａの後端側と比較して横方向への変位量が大きく、位置情報の変化を高感度で検知できる。
【００４６】
田植機を構成する鋼材は、製造時や加工時に一部が磁化することもあり、例えば、連結フレーム３２が磁化した場合には、連結フレーム３２から磁気コンパス４５Ｂに磁気が作用し、地磁気の検知精度を低下させることもあった。このような理由から支持部材４４として所定の厚みを有する非磁性材料が用いることにより連結フレーム３２等と磁気コンパス４５Ｂとの距離を拡大して磁気の影響を抑制している。また、この支持部材としては、合成ゴムの他に発泡ウレタンのように防振性を有するものの使用も可能である。
【００４７】
コンソールＤには、測位衛星からの電波信号を受信することにより位置情報を取得する受信回路４６と、制御ユニット４７とを備えている。受信回路は、ＧＮＳＳ（Global Navigation Satellite Systems ）により、３つ以上の測位衛星からの電波信号に基づき地球上における緯度、経度、高度とを取得する。この受信ユニット４５とコンソールＤとを備えて測位システムが構成されている。
【００４８】
制御ユニット４７は、ソフトウエアで構成されるティーチング処理部４７Ａと、走行経路判定部４７Ｂと、走行制御部４７Ｃとを備えている。この制御ユニット４７はモニタ部３８に情報を出力すると共に、タッチパネル３８Ａからの情報を取得する。また、この制御ユニット４７はステアリング制御ユニット４８に制御情報を出力する。
【００４９】
この実施形態では、コンソールＤの内部に受信回路４６を備えているが、この受信回路４６を受信ユニット４５の内部に備えても良い。また、ティーチング処理部４７Ａと、走行経路判定部４７Ｂと、走行制御部４７Ｃとの少なくとも何れか１つをロジックＩＣのハードウエアで構成することや、ハードウエアとソフトウエアとの組み合わせによって構成しても良い。
【００５０】
図５に示すように、ステアリングホイール１１に連結するステアリング軸５１からの操作力を左右の前車輪に伝えるパワーステアリングユニット５２がミッションケース７の上面に支持されている。ミッションケース７の下面には、パワーステアリングユニット５２の駆動力により作動するピットマンアーム５３が形成されている。
【００５１】
ステアリング軸５１の下端部近傍には、作動ギヤ５４が固設され、これに咬合するピニオンギヤ５５を駆動するステアリング制御モータ５６を備えている。更に、ステアリング軸５１の下端部には回転量を計測するロータリエンコーダ５７が備えられている。
【００５２】
尚、このステアリング操作系では、ステアリング軸５１の前部や側部にステアリング制御モータ５６を備えることにより、ボンネット５の内部を有効利用し、運転座席３の下方に張り出す空間を形成しないで済むように構成している。
【００５３】
この田植機では、圃場の一方の畦から他方の畦との間において作業者の人為操舵で田植機を走行させ、この走行時の走行経路を制御ユニット４７のティーチング処理部４７Ａが取得し、この走行経路から目標走行経路を生成して記憶できるように構成されている。
【００５４】
走行経路は、制御ユニット４７において直線として認識され、目標走行経路は、走行経路と平行する姿勢となるように８条の苗植付幅に対応した間隔で複数設定される。このように複数の目標走行経路が設定された後には、自動操舵走行を選択することにより、測位システムからの情報に基づき、走行経路判定部４７Ｂが目標走行経路との誤差を判定し、走行制御部４７Ｃがステアリング制御モータ５６を制御する形態で目標走行経路に沿って走行車体Ａを自動操舵走行させる制御を実現している。
【００５５】
尚、目標走行経路に沿って走行車体Ａを自動操舵走行させる場合において、作業者がステアリングホイール１１を操作することにより走行経路の修正も可能に構成されている。
また、走行経路判定部４７Ｂは、最初に、走行経路（人為操舵走行により最初に走行した経路）に隣接する目標走行経路に沿って走行車体Ａを走行させ、次に、これに隣接する目標走行経路に沿って走行車体Ａを走行させるように制御形態が設定されている。
【００５６】
〔測位・自動操舵走行システム：コンソールの表示形態〕
自動操舵走行時には、図７に示すように、コンソールＤのモニタ部３８に自動操舵走行画面が表示されると共に、この画面に対して複数の設定ボタン１０１と、モード表示部１０２とが表示される。設定ボタン１０１は、画面に指等を接触させることによりタッチパネルを介して操作が検知されるものであり、各種の設定を実現する。モード表示部１０２には、自動操舵状態にあることを示す文字情報が表示される。
【００５７】
この自動操舵走行画面では、画面の左右方向での中央位置に目標走行経路ライン１０３が表示されると共に、画面の中央位置に走行車体Ａを示すアイコン１０４が表示され、このアイコン１０４を基準にして走行車体の走行方向のズレ角（偏角）を示す偏角ライン１０５と、ズレ量を角度で示すインジケータ部１０６とが表示される。
【００５８】
モニタ部３８の上部には、目標走行経路に対する走行車体Ａのズレ量（偏差）を表示する偏差表示部１０７と、速度表示部１０８とが形成されている。偏差表示部１０７にはズレ量を示す数値と、ズレ量を視覚的にバーグラフ部とが形成される。速度表示部１０８には走行車体Ａの走行速度が数値で表示される。また、ステアリング操作を行った場合には目標走行経路ライン１０３とアイコン１０４との相対的な角度が変化するように表示形態が設定されている。
【００５９】
これにより、自動操舵走行を行う場合には、コンソールＤの操作スイッチ３９Ａの操作によりシステムを起動し、操作スイッチ３９Ａあるいは設定ボタン１０１の操作によりティーチング可能な状態に移行し、人為操舵走行を行うことによりティーチング処理部４７Ａで走行経路が取得され、目標走行経路が設定される。この後に、自動操舵走行のモードに移行することにより、モニタ部３８に対して前述した図７の画面が表示され、目標走行経路に沿って走行する自動操舵走行が可能となる。
【００６０】
尚、コンソールＤのモニタ部３８に表示される設定ボタン１０１の操作、あるいは、操作パネル部３９の操作スイッチ３９Ａの操作により、メンテナンスモードに移行することも可能である。このメンテナンスモードでは磁気コンパス４５Ｂ、ジャイロセンサ４５Ｃ等のチェックや校正が可能となる。
【００６１】
〔実施形態の作用・効果〕
このように、田植機では、目標走行経路が設定された状態で自動操舵走行を選択することにより、測位衛星からの電波信号が受信され、目標走行経路と、現在の走行車体Ａの位置との誤差を判定し、この誤差を小さくする方向に制御を行う自動操舵走行が行われる結果、作業者によるステアリングホイール１１の操作が不要となる。これにより、運転者は、走行車体Ａを停車させることなく苗の補給を行えることになり、走行車体Ａを停車させて苗補給を行う作業形態と比較して作業能率が向上する。
【００６２】
特に、苗植付作業時には作業者がステアリングホイール１１を操作して走行車体Ａを走行させ、予備苗載台３４のマット状苗を、苗植付装置Ｂの苗載台２３に補給する場合にのみ、自動操舵走行を選択することも可能である。このような場合にも、走行車体Ａを停車させる必要がなく、作業能率が向上する。
【００６３】
前後方向視においてコンソールＤが、ボンネット５の幅内に収まり、ステアリングホイール１１の幅にも収まっているため、作業者が乗降ステップ１６を移動する場合にも、作業者の衣服等がコンソールＤやステアリングホイール１１に触れることがなく、乗降を容易に行える。
【００６４】
また、運転座席３に着座した作業者の視線が向かう方向にコンソールＤが配置されるため、コンソールＤのモニタ部３８の表示内容を視認する場合に視線を大きく移動させなくて済む。特に、太陽光が直接射し込む環境で作業を行う場合でも、庇部４１が太陽光を遮るため、コンソールＤのモニタ部３８に表示される情報を正確に把握できる。
【００６５】
このコンソールＤでは、操作パネル部３９に操作スイッチ３９Ａを形成しているため、タッチパネルと比較して確実な情報を入力することが可能となり、また、操作パネル部３９には報知ランプを備えることも可能であり、例えば、報知ランプとして高輝度ＬＥＤを用いた場合には、モニタ部３８より高輝度で点灯させることにより、警報のように注意を要する情報の取得が確実になる。
【００６６】
また、予備苗載台３４を支持する縦フレーム３１の上端同士を連結する連結フレーム３２を受信ユニット支持部として支持部材４４を介して受信ユニット４５を支持しているので専用のフレームを走行車体Ａに備えなくとも、高い位置に受信ユニット４５を配置して測位衛星からの電波信号を良好に受信できる。更に、支持部材４４を用いることにより、磁気コンパス４５Ｂと連結フレーム３２との距離を拡大し、この連結フレーム３２等から作用する磁気の影響を抑制して地磁気に基づいて走行車体の方向を方位センサとしての磁気コンパス４５Ｂによって方位を高精度で検知できる。
【００６７】
〔別実施形態〕
本発明は、上記した実施形態以外に以下のように構成しても良い。
【００６８】
（ａ）図８に示すように、コンソールＤに対してモニタ部３８と、操作パネル部３９とを備えると共に、メータパネル３６を備える。モニタ部３８は液晶型で表示面にタッチパネル３８Ａが形成され、操作パネル部３９は複数の操作スイッチ３９Ａが設けられている。
メータパネル３６は、実施形態においてボンネット５の後端に形成されたものと同様のものであり、実施形態の説明と同様に、液晶表示部と表示ランプとが形成されている。そして、液晶表示部には、アワーメータ、自動植付クラッチの状態、燃料残量、冷却水の水温等が表示される。また、複数の表示ランプとして、オイル切れランプ、チャージランプ、苗切れランプ、植付表示ランプ、少数条クラッチランプ、マーカランプ等が備えられている。
【００６９】
この別実施形態（ａ）のように構成することにより、自動操舵走行時における走行情報と、作業に必要な作業情報の全てをコンソールＤに集約して表示できるため、視線を大きく移動させるだけで必要な情報の取得が可能になる。また、ボンネット５の後端にメータパネルを備えずに済む。
【００７０】
また、この別実施形態（ａ）の変形例として、ボンネット５の後端と、コンソールＤとに対して液晶表示部やランプ類を備えることにより、メータパネル３６の機能を分散して配置するように構成する。この変形例では、作業情報のうち比較的重要な情報をコンソールＤに出力するように構成することにより、作業者に対して情報を確実に伝えることも可能となる。
【００７１】
（ｂ）コンソールＤを、支持フレーム部の連結フレーム３２から下方に延出したフレームの下端に支持する。このように支持することにより、ボンネット５の幅内にコンソールＤを配置し、ボンネット５より高い位置にコンソールＤを配置することが可能となる。また、コンソールＤと予備苗載台３４との間に作業者が通過可能な空間を確保することも可能となる。
【００７２】
（ｃ）水田作業機として、実施形態の苗植付装置Ｂに代えて走行車体Ａの後端に播種装置を備えた播種機に本発明の構成を適用しても良い。また、水田作業機として田植機と播種機との何れを構成した場合でも施肥装置を備えても良い。
【００７３】
（ｄ）実施形態ではエンジン６をボンネット５に内蔵していたが、これに代えて、エンジン６が運転座席３の下側に配置されるように構成した水田作業機に適用しても良い。
【００７４】
（ｅ）前述した実施形態では、ティーチングに基づいて目標走行経路を生成していたが、ティーチングに代えて、例えば、圃場面の俯瞰画像をモニタ部３８等に表示し、このように表示された圃場面において、作業者が人為的な操作で目標走行経路を設定するように制御形態を設定しても良い。
また、ティーチングに代えて、例えば、トラクタで圃場の代掻き作業を行う際に測位衛星からの電波を受信することで、車体が走行した経路データを半導体記憶媒体等に記憶しておき、この半導体記憶媒体等に記憶された経路データを田植機の自動操舵走行システムにロードすることにより、この自動操舵走行システムにおいて目標走行経路を生成するように制御形態を設定しても良い。
【産業上の利用可能性】
【００７５】
本発明は、走行車体の前部のボンネットの両側方に乗降通路が形成され、ボンネットの後部にステアリングホイールを備え、この後方に運転座席を配置し、測位衛星からの電波信号を受信して位置情報の出力が可能に構成されている水田作業機に利用することができる。
【符号の説明】
【００７６】
５          ボンネット
１１        ステアリングホイール
１６        乗降ステップ
３８        モニタ部
３９        操作パネル部
３９Ａ      操作スイッチ
４１        庇部
Ａ          走行車体
Ｄ          コンソール
【図１】
2019054815.tif 000003
【図２】
2019054815.tif 000004
【図３】
2019054815.tif 000005
【図４】
2019054815.tif 000006
【図５】
2019054815.tif 000007
【図６】
2019054815.tif 000008
【図７】
2019054815.tif 000009
【図８】
2019054815.tif 000010